(57)【特許請求の範囲】
【請求項１】
操作を受け付ける操作部と、ＤＴＶの各チャンネルを選局するＤＴＶ受信部と、他の種類の放送を選局し又は音源を再生する提供源と、音響又は映像の少なくとも一方を出力する出力部と、を備える車載用デジタルテレビ受信機において、
ＤＴＶの一又は二以上のチャンネルについてチャンネルスキャンによりＥＰＧデータ取得を順次行うとともにその間、前記出力部の出力内容について前記提供源による放送又は音源への切替えを行う電子制御手段を備えることを特徴とする車載用デジタルテレビ受信機。
【請求項２】
前記電子制御手段は、前記ＥＰＧデータ取得の際に、前記切替えを行うか否かの選択操作を受け付ける選択手段を含むことを特徴とする請求項１記載の車載用デジタルテレビ受信機。
【請求項３】
操作を受け付ける操作部と、ＤＴＶの各チャンネルを選局するＤＴＶ受信部と、他の種類の放送を選局し又は音源を再生する提供源と、音響又は映像の少なくとも一方を出力する出力部と、を備える車載用デジタルテレビ受信機の制御方法において、
ＤＴＶの一又は二以上のチャンネルについてチャンネルスキャンによりＥＰＧデータ取得を順次行うとともにその間、前記出力部の出力内容について前記提供源による放送又は音源への切替えを行う電子制御処理を含むことを特徴とする車載用デジタルテレビ受信機の制御方法。
【請求項４】
前記電子制御処理は、前記ＥＰＧデータ取得の際に、前記切替えを行うか否かの選択操作を受け付ける選択処理を含むことを特徴とする請求項３記載の車載用デジタルテレビ受信機の制御方法。
【発明の詳細な説明】
【技術分野】
【０００１】
本発明は、車載用デジタルテレビ（ＤＴＶ）受信機及びその制御方法において、ＤＴＶにおけるＥＰＧデータ取得を行う間、ＣＤや地上アナログテレビなど他のソースに一時的に出力内容を切り替えておくことにより、無音状態など空白時間による不愉快を解消するものである。
【背景技術】
【０００２】
近年、電子技術の進歩に続く情報処理技術の発達にともない、ラジオ視聴やＣＤプレーヤなどの機能を持つカーオーディオシステムは、地図データなどの読出し用にＣＤ−ＲＯＭドライブを用いていたカーナビゲーションシステムとの統合化が進むとともに、共用の表示画面でテレビ視聴も可能となり、ＡＶＮ（オーディオ・ビジュアル・ナビゲーション）と称される時代が到来している。
【０００３】
ときに、地上デジタルテレビジョン放送（本出願においてＤＴＶと略称する）が新規に導入される時期にきている。ＤＴＶには各種の利点があるが、その一つとして、電子番組表（Electronic Program Guide。本出願において「ＥＰＧ」と呼ぶ）を表示するためのＥＰＧデータが、番組放送波から入手可能という利点がある。
【０００４】
ＥＰＧは、配信されるＥＰＧデータをもとに番組表を画面表示し、キーワードなどによる番組情報の検索や、カーソルなどによる視聴や録画の予約を行えるもので（例えば、特許文献１参照）、地上アナログテレビジョン放送では、地域ごとに予め定められたホスト局などと呼ばれるサーバが、テレビ放送波の余地などを通じ、原則的にその地域の全チャンネルのＥＰＧデータを配信している。
【特許文献１】特開２００４−３３６３１２号
【発明の開示】
【発明が解決しようとする課題】
【０００５】
しかしながら、ＤＴＶでは、個々の受信チャンネルの放送波には、その受信局のぶんのＥＰＧデータしか含まれず、他局のＥＰＧデータは含まれない。このため、ＤＴＶ受信機で他局についても最新内容のＥＰＧを表示したり受信機内のＥＰＧデータを更新するには、ユーザが選局を目的のチャンネルに切替えてはＥＰＧデータを取得させる作業が必要で、煩雑であった。
【０００６】
そのうえ、チューナーが一系統の場合、希望のテレビ番組を見ながらＥＰＧデータの取得をすることは不可能であり、特に、受信可能な全てのチャンネルのＥＰＧデータ取得には時間を要し、音声も映像も長時間途切れて不愉快という問題があった。
【０００７】
一般的な家庭用などの受信機では、深夜など、ユーザが主電源スイッチを切っている待機状態の間にバックグラウンド処理などとして各局につき順次、ＥＰＧデータを取得しておくことも可能であるが、このような手法は、車載装置ではバッテリー上がりが懸念されるため事実上採用不可能であった。
【０００８】
本発明は、上記のような従来技術の課題を解決するもので、その目的は、車載用デジタルテレビ（ＤＴＶ）受信機及びその制御方法において、ＤＴＶにおけるＥＰＧデータ取得を行う間、ＣＤや地上アナログテレビなど他のソースに一時的に出力内容を切り替えておくことにより、無音状態など空白時間による不愉快を解消することである。
【課題を解決するための手段】
【０００９】
上記の課題を、本発明は以下のように解決する。なお、方法においては「手段」→「処理」のように適宜読み替えるものとする。
【００１０】
本発明の一態様では（請求項１，３）、操作を受け付ける操作部と、ＤＴＶの各チャンネルを選局するＤＴＶ受信部と、他の種類の放送を選局し又は音源を再生する提供源と、音響又は映像の少なくとも一方を出力する出力部と、を備える車載用デジタルテレビ受信機（その制御方法）において、ＤＴＶの一又は二以上のチャンネルについてチャンネルスキャンによりＥＰＧデータ取得を順次行うとともにその間、前記出力部の出力内容について前記提供源による放送又は音源への切替えを行う電子制御手段を備えることを特徴とする。
【００１１】
このように、ＤＴＶ視聴中の操作などにより全チャンネルスキャンなどＥＰＧデータ取得を行う間、自動的に、ＣＤや地上アナログテレビなど他のソースに一時的に出力内容を切り替えておき、取得完了時にＤＴＶへ復帰することにより、無音状態など空白時間による不愉快を効果的に解消できる。
【００１２】
本発明の他の態様は（請求項２，４）、上記いずれかの態様において、前記電子制御手段は、前記ＥＰＧデータ取得の際に、前記切替えを行うか否かの選択操作を受け付ける選択手段を含むことを特徴とする。
【００１３】
このように、ＥＰＧデータ取得の際、他ソースへの切替えをするか否か選択可能とすることにより、個別具体的なユーザや使用時ごとに、好みや状況などに応じ、柔軟な使い勝手をきめ細かく実現可能となる。
【発明の効果】
【００１４】
以上のように、本発明によれば、車載用デジタルテレビ（ＤＴＶ）受信機及びその制御方法において、ＤＴＶにおけるＥＰＧデータ取得を行う間、ＣＤや地上アナログテレビなど他のソースに一時的に出力内容を切り替えておくことにより、無音状態など空白時間による不愉快を解消することが可能となる。
【発明を実施するための最良の形態】
【００１５】
以上を前提に、続いて、本発明を実施するための最良の実施形態について、図面を参照して説明する。なお、背景技術や課題での説明と共通の前提事項は省略する。
【００１６】
〔１．構成及び基本的作用効果〕
本実施形態は、図１の構成図に示すように、ＡＶＮ（オーディオ・ビジュアル・ナビゲーション）センタユニット１をマスタ側、ＤＴＶ受信機３をスレーブ側として、制御バスとそれによる通信で相互に接続した車載用デジタルテレビ受信機（全体を「システム」とも呼ぶ）であり、その制御方法としても把握可能である。
【００１７】
センタユニット１とＤＴＶ受信機３が共用する部分としては、モニタ画面部Ｄ、スピーカＳＰ、キー操作部Ｋがある。このうち、キー操作部Ｋは、操作を受け付ける操作部であり、キースイッチ類のほか、リモコンユニット、タッチパネルなどを適宜用いる。映像や音声の出力部が、モニタ画面部Ｄ（液晶表示パネルなど）とスピーカＳＰ（車載スピーカなど）である。
【００１８】
次に、センタユニット１は、ＣＤを再生するオートチェンジャーなどのＣＤ部１１と、ＡＴＶ（地上アナログテレビジョン放送）を受信するＡＴＶ部１２と、ＡＶＮマイコン１５と、を備える。このうちＡＶＮマイコン１５が、いわゆるマスタマイコンで、具体的には、センタユニット１の各部を制御するほか、ＤＴＶ受信機３を含むシステム全体について、各機能や、モードの切替えなどの判断や制御処理を行う。
【００１９】
なお、出力部（Ｄ，ＳＰ）への出力内容を受信機「セットモード」や、単に「モード」と呼び、出力されている映像や音声のソースに応じ、ＤＴＶモード、ＣＤ出力モード、アナログテレビ出力モード、のように称する。
【００２０】
また、ＤＴＶ受信機３は、ＤＴＶの各チャンネルを選局するＤＴＶ受信部であり、このＤＴＶ受信機３との関係では、センタユニット１は、出力部（Ｄ，ＳＰ）への出力内容として、他の種類の放送を選局し又は音源を再生する提供源という位置付けとなる
【００２１】
ＤＴＶ受信機３は、図１に示す次の各ブロックを備える。すなわち、チューナーパック３１はチャンネル選局を行う。ＯＦＤＭ部３２は、ＯＦＤＭ（直交波周波数分割多重）信号をＦＦＴ（高速フーリエ変換）でデコードすることによりＴＳ（トランスポートストリーム）信号を抽出する。ＭＰＥＧ部３３は、前記ＴＳ信号をさらにデコードすることで、音声データ、画像データ、制御データ（番組構成情報、ＥＰＧデータなど）にし、音声と映像のデータについてはＭＰＥＧデコードを行う。これら各部を制御するのがＤＴＶマイコン３５である。
【００２２】
また、このＤＴＶマイコン３５は、電子制御手段として、ＤＴＶの一又は二以上のチャンネルについてチャンネルスキャンによりＥＰＧデータ取得を順次行うとともにその間、出力部（Ｄ，ＳＰ）の出力内容について、センタユニット１による放送又は音源への切替えを行う（電子制御処理）。このようなＥＰＧデータの取得は、ＤＴＶの視聴中にキー操作部Ｋへの操作を受けて行う場合のほか、システム全体の電源投入時に行ってもよい。
【００２３】
このように、ＤＴＶ視聴中の操作などにより全チャンネルスキャンなどＥＰＧデータ取得を行う間、自動的に、ＣＤや地上アナログテレビなど他のソースに一時的に出力内容を切り替えておき、取得完了時にＤＴＶへ復帰することにより、無音状態など空白時間による不愉快を効果的に解消できる。
【００２４】
〔２．処理手順の例〕
上記に応じた処理手順の一例を図２に示す。すなわち、ＤＴＶ視聴中のＤＴＶモードにおいて、ＤＴＶマイコン３は、ユーザーからのチャンネルスキャン開始指示のキー操作を認識すると、ＡＶＮマイコン１５に対し例えばセットモード管理機能に働きかけることにより、他モードへの切替えを要求する（ステップ１）。これにより、切替えに支障がなければ、センタユニット１側から、ＤＴＶモード→他モード（ＣＤ出力モードやアナログテレビ出力モード等）への切替えを行う（ステップ２）。
【００２５】
切替え先のソースの種類は自由で、例えば、ＡＴＶ（アナログテレビ）に切り替える場合、ＤＴＶと同一内容を同時並行で放送するサイマル放送であるので、同一番組に切り替えるようにしてもよい。また、ＣＤや、地上波ラジオチューナー、サテライトラジオなどへ切り替える仕様も考えられる。
【００２６】
切替えが正常に終了（ステップ２）した後は、センタユニット１側がアクティブ状態となる一方、ＤＴＶ受信機３側は、システム全体の中では裏モード（バックグラウンド動作状態）になり、ＥＰＧデータ取得のため、チャンネルスキャンを開始する（ステップ３）。チャンネルスキャンでは、ＤＴＶマイコン３５は、まずＯＦＤＭ部３２に周波数チャンネル変更を順次依頼し、有局（受信可能）であれば、ＭＰＥＧ部３３経由で、放送波中からＥＰＧデータを取得する、という一連の処理を、全チャンネル繰り返し、ＤＴＶ受信機３内に記憶されたＥＰＧデータベース３４を更新する（ステップ４）。
【００２７】
全チャンネルスキャンを実施し、ＥＰＧデータを取得した後、本来のＤＴＶモードに戻すため、ＤＴＶマイコン３５は、ＡＶＮマイコン１５に対し、例えばセットモード管理機能に働きかけることにより、他モードからＤＴＶモードへのリターン（復帰）への切替え指示を要求する。
【００２８】
これは、ＡＶＮマイコン１５が全体の制御側（マスタ側）であることから、スレーブ側であるＤＴＶ受信機３がアクティブ状態に復帰するために、マスタ側からの処理や指示を要するからである。そして、要求に対し特に支障がなければＡＶＮマイコン１５から発行される切替え指示を受けて、ＤＴＶ受信機３側がアクティブであるＤＴＶモードに復帰する。
【００２９】
以上のように、ＤＴＶ視聴中の操作などにより全チャンネルスキャンなどＥＰＧデータ取得を行う間、自動的に、ＣＤや地上アナログテレビなど他のソースに一時的に出力内容を切り替えておき、取得完了時にＤＴＶへ復帰することにより、無音状態など空白時間による不愉快を効果的に解消でき、ユーザは最新内容のＥＰＧデータを容易に利用可能となる。
【００３０】
〔３．他の実施形態〕
なお、本発明は、上記実施形態には限定されず、以下の例や他の例も含むものである。例えば、上記実施形態は制御手段として、２つのマイコンを使う例を示したが、マイコンは１つでもよい（図３）。図３の例では、単一のマイコン５４が、破線で示す切替制御信号により映像切替用のＳＷ（スイッチ）１と、音声切替用のＳＷ２を駆動することにより、出力部（Ｄ，ＳＰ）の出力内容を通常はＤＴＶチューナ５１からのＤＴＶ（地上デジタルテレビジョン放送）とし、ＥＰＧデータ取得の間は、ＡＴＶチューナ５２からの地上アナログテレビジョン放送や、ＣＤ部５３からのＣＤ音響に切り替える。
【００３１】
また、ＥＰＧデータ取得の際に、出力内容の切替えを行うか否かの選択操作を受け付けるようにしてもよい。この選択は、スイッチや設定画面などで事前に設定しておいてもよいし、また、ＥＰＧデータ取得の都度、切り替えるか否かユーザに許諾（確認）を求めるようにしてもよい。このように、ＥＰＧデータ取得の際、他ソースへの切替えをするか否か選択可能とすることにより、個別具体的なユーザや使用時ごとに、好みや状況などに応じ、柔軟な使い勝手をきめ細かく実現可能となる。
【図面の簡単な説明】
【００３２】
【図１】本発明の実施形態の構成を示す機能ブロック図。
【図２】本発明の実施形態における処理手順の一例を示す図。
【図３】本発明の実施形態の他の一例について構成を示す図。
【符号の説明】
【００３３】
１…ＡＶＮセンタユニット
１１，５３…ＣＤ部
１２…ＡＴＶ部
１５…ＡＶＮマイコン
３…ＤＴＶ受信機
３１…チューナーパック
３２…ＯＦＤＭ部
３３…ＭＰＥＧ部
３５…ＤＴＶマイコン
Ｄ…モニタ画面部
ＳＰ…スピーカ
Ｋ…キー操作部
Ｓ〜…手順の各ステップ
５１…ＤＴＶチューナ
５２…ＡＴＶチューナ
５４…マイコン
【図１】
0004814602.tif 000002
【図２】
0004814602.tif 000003
【図３】
0004814602.tif 000004